(57)【要約】  ステータ部と、ステータ部と軸合わせされステータ部に取り囲まれるロータ部と、ステータ部と駆動シャフト接続部との間に配置される駆動シャフト接続部と吸引チャンバとを備える容積型ポンプであって、吸引チャンバを、ステータ部または駆動シャフト接続部を移動させることなく分解可能であるよう構成することで、メンテナンス作業のパフォーマンスを上げる。【選択図】図１
2011529157.tif 000002
【特許請求の範囲】
【請求項１】
容積型のポンプであって、
ステータ部と、前記ステータ部と軸合わせされ前記ステータ部に取り囲まれるロータ部と、
前記ポンプを駆動する駆動部に接続されるよう構成される駆動シャフト接続部と、
前記ステータ部および前記駆動シャフト接続部の間に配置され、ポンプされる流体を受け取る入口と、流体の流れを前記ステータ部に接続する出口とを有する吸引チャンバと、
前記駆動シャフト接続部を前記ロータ部に接続し、前記吸引チャンバを通る接続シャフトと
を備え、
前記ステータ部および前記ロータ部は、前記ロータ部が前記ステータ部に対して回転した場合に、前記ステータ部内の流体が前記ロータ部の回転軸沿いに駆動されるよう構成され、
前記駆動シャフト接続部は、前記吸引チャンバと前記駆動シャフト接続部とを分離する封止材を通る駆動シャフトを有し、
前記接続シャフトは、ロータ端部と駆動端部とを有し、前記ロータ端部は前記ロータ部に接続され、前記駆動端部は前記駆動シャフトに接続され、前記接続シャフトの前記ロータ端部および前記駆動端部は、開放可能な接続により接続され、
前記ステータ部または前記駆動シャフト接続部を移動させることなく、前記接続シャフトの前記ロータ端部を前記ロータ部から取り外し、前記接続シャフトの前記ロータ端部を前記駆動端部から取り外し、前記吸引チャンバを分解することができるよう前記吸引チャンバが構成される
容積型のポンプ。
【請求項２】
前記吸引チャンバに接続される端部とは反対側の前記ステータ部の端部に設けられ、ポンプされる前記流体を運搬する少なくとも１つのパイプに接続されるよう構成されるポンプ出口をさらに備え、
前記ポンプは、前記吸引チャンバを分解するとき、前記ポンプ出口に接続されている前記少なくとも１つのパイプを移動させることなく前記ロータ部および前記ステータ部のうち少なくとも１つを取り外すことができるよう構成される請求項１に記載の容積型のポンプ。
【請求項３】
前記ステータ部および前記ロータ部は、前記ステータ部に対する前記ロータ部の前記回転軸に平行な方向に延び、
前記ポンプは、前記吸引チャンバを分解するとき、前記ロータ部または前記ステータ部を前記回転軸に平行な方向に実質的に移動させる必要性なく、前記ロータ部および前記ステータ部を前記ポンプから分離させ取り外すことができるよう構成される請求項１または２に記載の容積型のポンプ。
【請求項４】
前記吸引チャンバは入口部と導管部とを有し、
前記導管部は、ポンプされる前記流体を前記導管部の第１の端部から第２の端部へと前記導管部内を通過するよう流すことができるよう構成され、
前記吸引チャンバは、前記入口部を移動させることなく前記導管部を分解することができるよう構成される請求項１から請求項３のいずれか一項に記載の容積型のポンプ。
【請求項５】
前記導管部は、前記導管部の前記第１の端部から前記第２の端部へと向かう少なくとも１つの開放可能な接合線により分割される請求項４に記載の容積型のポンプ。
【請求項６】
前記導管部は、前記導管部の前記第１の端部から前記第２の端部へと向かう２つの前記開放可能な接合線により接合される２つの別個の部分に分割される請求項５に記載の容積型のポンプ。
【請求項７】
関連する開放可能な接合線を封止するよう構成される少なくとも１つのガスケットをさらに備える請求項５または６に記載の容積型のポンプ。
【請求項８】
前記吸引チャンバは、前記導管部が前記少なくとも１つの開放可能な接合線による接合により形成される場合、前記導管部のそれぞれの前記端部にクランプで固定されるよう構成された第１の端部および第２の端部をさらに有し、
前記第１の端部および第２の端部のそれぞれは、該端部を通り前記導管部から、または前記導管部へと流体を流す少なくとも１つの開口と、前記導管部を前記ポンプ内の別のコンポーネントへ接続する少なくとも１つのフランジとを含む請求項５から７のいずれか一項に記載の容積型のポンプ。
【請求項９】
前記導管部は、前記吸引チャンバの分解時に、前記吸引チャンバを前記ポンプから取り外すことなく、前記導管部の前記第１の端部から前記第２の端部へと延びる方向に平行な方向に前記導管部を移動させ、前記ポンプの利用時に前記導管部が含むスペースの少なくとも一部を露呈させることができるよう構成される請求項４に記載の容積型のポンプ。
【請求項１０】
前記導管部は、前記吸引チャンバの分解時に、前記導管部の前記第１の端部から前記第２の端部へと延びる方向に平行な前記方向に、前記ステータ部を少なくとも部分的に取り囲む位置まで前記導管部を移動させることができるよう構成される請求項９に記載の容積型のポンプ。
【発明の詳細な説明】
【技術分野】
【０００１】
本発明はポンプに係り、特に容積型ポンプ（progressive cavity pump）に係る。これらポンプは、通常、ステータ内に含まれるロータから形成され、ロータは、ロータおよびステータの間のキャビティをステータに沿って運動させるように回転して駆動され、流体を運搬する。ステータの一端には、ポンプされる流体を受け取る入口と流体をステータに繋ぐ出口とを有する吸引チャンバが設けられてよい。ロータには通常、駆動シャフトが接続されて、その回転を駆動し、多くの構成においては、駆動シャフトは吸引チャンバ内を通過する。ステータの、吸引チャンバとは反対側の端部はパイプ群と接続され、パイプ群により、ポンプされる流体が所望の宛先へと送られてよい。
【背景技術】
【０００２】
容積型ポンプは、食料および飲料のポンプ、下水スラッジのポンプ、およびスラリーのポンプ等、様々な用途に利用することができる。容積型ポンプは、ポンプされる流体のせん断レベルが比較的低いことが望ましい用途に特に有用である。しかし、容積型ポンプはメンテナンスに注意が必要である。特に、ロータ表面およびステータ表面間が消耗しやすい。従ってロータおよびステータは定期的な交換が必要となる。加えて、吸引チャンバに対して駆動シャフトが入っている入口点には封止材を設けて、流体が漏れないようにする必要がある。従って封止材にもメンテナンスおよび／または定期的な交換が必要となる。
【０００３】
従って、容積型ポンプを定期的に取り外して、メンテナンス作業を行う必要がある。これを行うための現在知られている容積型ポンプの構成では、まず、ステータのエンドカバーに繋がれているパイプ群を取り外し、ステータをロータの回転軸に平行に引くことができるよう、ステータの該当端部の周りに十分なスペースを設け、ロータを露呈させて駆動シャフトから外す。次いで、吸引チャンバをポンプから取り外し、駆動シャフトおよび封止材を露呈させてこれらを分解して、取替および／またはメンテナンスを行う必要がある。しかしながら多くの用途においては、ロータおよびステータは比較的長い。従って、ロータからステータを縦方向に取り外すためには、ポンプの周りにかなり大きなスペースが必要となる。さらに、ステータを取り外すためにステータに接続されているパイプ群も取り外すので、ポンプの取り外しにかかる時間がその分長くなる。
【発明の概要】
【発明が解決しようとする課題】
【０００４】
従って、本発明は、取り外しが迅速で簡単な容積型ポンプを提供することを目的とする
【課題を解決するための手段】
【０００５】
本発明においては、容積型ポンプであって、ステータ部と、ステータ部と軸合わせされステータ部に取り囲まれるロータ部と、ポンプを駆動する駆動部に接続されるよう構成される駆動シャフト接続部と、ステータ部および駆動シャフト接続部の間に配置され、ポンプされる流体を受け取る入口と、流体の流れをステータ部に接続する出口とを有する吸引チャンバと、駆動シャフト接続部をロータ部に接続し、吸引チャンバを通る接続シャフトとを備え、ステータ部およびロータ部は、ロータ部がステータ部に対して回転した場合に、ステータ部内の流体がロータ部の回転軸沿いに駆動されるよう構成され、駆動シャフト接続部は、吸引チャンバと駆動シャフト接続部とを分離する封止材を通る駆動シャフトを有し、接続シャフトは、ロータ端部と駆動端部とを有し、ロータ端部はロータ部に接続され、駆動端部は駆動シャフトに接続され、接続シャフトのロータ端部および駆動端部は、開放可能な接続により接続され、ステータ部または駆動シャフト接続部を移動させることなく、吸引チャンバを分解し、接続シャフトのロータ端部をロータ部から取り外し、接続シャフトのロータ端部を駆動端部から取り外すことができるよう、吸引チャンバが構成される容積型ポンプが提供される。
【０００６】
吸引チャンバをステータ部または駆動シャフト接続部を移動させずに取り外すことができるように特に構成することにより、ポンプのメンテナンスがし易くなる。特に、メンテナンスのために、ポンプの入口および出口に接続されている処理パイプ群を取り外す必要がなくなる。従って、特定のメンテナンス作業を行うのに必要な時間が顕著に低減される。さらに、例えば、ロータ部および／またはステータ部の取替および／または交換を、関連する処理パイプ群を全く取り外すことなく行うことができるようになる。但し、ステータを取り外す場合には、例えばエンドカバーは元の位置に置いたままで、処理パイプ群から取り外す必要はある点には留意されたい。
【０００７】
吸引チャンバを、取り外しの際に接続シャフトにアクセスが可能となるよう構成することで、適宜ロータおよび/または駆動シャフト接続部から取り外し、清掃および検査を行うことができるようになる。
【０００８】
駆動シャフト接続部は、駆動シャフト接続部から吸引チャンバを分離する封止材を通り、吸引チャンバ内に延びる駆動シャフトを含む。封止材は、吸引チャンバと駆動シャフト接続部との間を、ポンプされる流体が流れないように構成されてよい。封止材は、任意の好適な種類であってよく、例えば、機械的な封止材またはグランドパッキング等であってよい。
【０００９】
接続シャフトは、ロータに接続されるロータ端部と、駆動シャフトに接続される駆動端部とを有する。この構成においては、吸引チャンバは、分解時に、ステータ部を移動させることなく接続シャフトをロータ部から取り外すことができるよう、接続シャフトへのアクセスが可能となるよう構成されてよい。このようにすることで、ステータ部または駆動シャフト接続部を移動させることなく接続シャフトを取り外すことができポンプのメンテナンスを容易にすることができる。
【００１０】
接続シャフトのロータ端部と、接続シャフトの駆動端部とは、開放可能な接続により接続される別個のコンポーネントである。特に、分割スリーブを利用して、接続シャフトのこれら２つの部材を接続することができる。しかし、他の開放可能な接続の利用も可能であることに留意されたい。さらに吸引チャンバは、分解時に、ステータ部または駆動シャフト接続部を移動させることなく、接続シャフトのロータ端部を接続シャフトの駆動端部から取り外すことができるよう構成される。
【００１１】
この構成において、吸引チャンバが分解されると、吸引チャンバと駆動シャフト接続部との間の封止材にアクセスすることができるようになる。故に必要に応じて、ステータ部または駆動シャフト接続部を移動させることなく封止材を取り替えることができる。従って、ポンプのメンテナンスにパイプ群を取り外す必要がなくなるために、メンテナンス作業に必要な時間が顕著に低減し、ポンプの周りに配置されるパイプ群の要件が単純化される。
【００１２】
上述したように、吸引チャンバは、ポンプされる流体を受け取る入口を有してよい。加えて、ポンプの出口を、吸引チャンバに接続される端部とは反対側のステータ部の端部に配置することができる。ステータ部の出口は、流体をポンプに運搬する少なくとも１つのパイプに接続されるよう構成されてよい。しかし、ポンプの入口と出口とは逆であってもよい。特に、ポンプの動作を逆にして、ポンプされる流体が、本願で言うところの出口であるステータの端部からポンプに流入し、本願で言うところの入口である吸引チャンバの地点からポンプを流出する構成も可能である。
【００１３】
上述したように、ポンプは特に、吸引チャンバの分解時に、ロータ部および／またはステータ部を、ポンプ出口に接続されている（つまり、吸引チャンバに接続されている端部とは反対の、ステータ部の端部に接続されている）関連パイプ群のいずれを移動させることなく、ポンプから取り外すことができるよう構成されてよい。特定の構成では、ポンプは、ロータ部および／またはステータ部を、ロータ部またはステータ部をロータ部の回転軸に平行な方向に最小限の移動しかすることなく、ポンプから取り外すことができるよう構成されてよい。
【００１４】
従って、吸引チャンバが分解されると、ロータ部およびステータ部は、ステータ部を関連する処理パイプ群から取り外すことにより取り外すことができる。特に、接続シャフトをさらに分解することにより利用可能になるスペースによって、ステータを処理パイプ群と接合させているエンドカバーからステータを取り外すのに十分な距離分、軸方向に移動させることができるようになる。この距離は十分ではなくてもよい（つまり、ステータの長さよりも実質的に短くてよい）。次いでステータ部およびロータ部を、ロータの回転軸に垂直な方向にポンプから取り外すことができる。この構成は処理パイプ群を移動させる手間がなく、メンテナンス作業に必要となるポンプの周りのスペースに対する要件を大幅に低減させることができる。
【００１５】
吸引チャンバは、例えば、ポンプがポンプされる流体を受け取るパイプ群に接続されうる入口部および導管部を含むことができる。導管部は、第１の端部および第２の端部を含んでよく、ポンプされる流体を第１の端部および第２の端部の間に流すことができるように構成されてよい。導管部の第１の端部は、吸引チャンバの入口部に接続されてよく、導管部の第２の端部はステータ部に接続されてよい。これらの接続を両方とも開放可能とすることで、吸引チャンバを分解することができるようになる。特に、吸引チャンバは、吸引チャンバの入口部を移動させることなく導管部を分解することができるよう構成されてよい。このようにして、導管部の分解により、導管部内のスペースへのアクセスが可能となる。
【００１６】
ある構成では、導管部の第１の端部から導管部の第２の端部に向かう少なくとも１つの開放可能な接合線によって、導管部を分割することができる。こうすることで、少なくとも１つの開放可能な接合線および導管部の２つの端部を分離させることにより、導管部をポンプから取り外すことができるようになる。例えば、導管部を、それぞれ導管部の第１の端部から第２の端部へと向かう２つの開放可能な接合線により分割して、導管部を２つの別個の部分に分割することができる。これら２つの開放可能な接合線同士を切り離すことにより、導管部の２つの別個の部分を分割することができ、これらのポンプからの取り外しが容易になる。
【００１７】
特に、上述したような接続シャフトは、導管部内を、第１の端部から第２の端部へと通過することができる。従って、吸引チャンバの導管部の第１の端部から第２の端部へと延びる少なくとも１つの開放可能な接合線を提供することにより、接続シャフトを取り外すことなくポンプから導管部を取り外すことができるようになる。従って、吸引チャンバの導管部を取り外すと、接続シャフトへのアクセスが可能になり、接続シャフトのメンテナンス作業および／または取替を、上述したようにステータ部または駆動シャフト接続部を移動させることなく行うことができるようになる。
【００１８】
封止材は、ポンプされる流体が漏れることのないように、開放可能な接合線沿いに設けられてよい。例えば、１以上の開放可能な接合線のそれぞれに対してガスケットを設けてよい。
【００１９】
導管部の第１の端部および第２の端部に接続する端部をそれぞれ提供することができる。特に、導管部が少なくとも１つの開放可能な接合線の接合により形成される際には、これら端部を、導管部に対してクランプで固定するよう構成してよい。これら端部は、流体を導管部内に通すための開口を含むことができ、例えば、ポンプ内の別のコンポーネントに接続されうる少なくとも１つのフランジであってよい。例えば、第１の端部が、吸引チャンバの入口部に接続可能に構成され、第２の端部が、ステータ部に接続可能に構成されてよい。
【００２０】
代替的構成においては、吸引チャンバをポンプから取り外すことなく、導管部が、分解中に、その長さに平行な方向（つまり、導管部の第１の端部から導管部の第２の端部へ延びる方向に平行な方向）に滑ることができるよう構成されてよい。導管をこのように滑らすとき、吸引チャンバが組み立てられているときに導管部が含むスペースが露呈して、そのなかの接続シャフトにアクセス可能となり、例えばロータ部および／または駆動シャフト接続部からそれを取り外すことができてよい。特定の構成においては、導管部は、分解中に、ステータ部の一部の上を滑り、吸引チャンバ内のスペースがアクセス可能になるよう構成されてよい。
【００２１】
以下に本発明を、制限を意図しない例により、添付図面を参照しながら説明する。
【図面の簡単な説明】
【００２２】
【図１】本発明における容積型ポンプの第１の構成の概略図である。
【図２ａ】本発明におけるポンプに利用されうる吸引チャンバの導管部を示す。
【図２ｂ】図２ａに一例を示す導管部の断面図である。
【図３ａ】本発明におけるポンプに利用されうる吸引チャンバの導管部の代替的構成の組み立て後の様子を示す。
【図３ｂ】本発明におけるポンプ内に利用可能な吸引チャンバの導管部の代替的構成の組み立て前の様子を示す。
【発明を実施するための形態】
【００２３】
図１は、本発明における容積型ポンプ１０を示す。特にポンプは、ステータ部１２内にロータ部１１を含む。ロータ１１は、ステータ１２に対して回転するよう駆動されることで、ポンプする流体をステータのある端部１２ａからステータの第２の端部１２ｂへと駆動することができる。もちろん、適宜、ロータ１１の回転方向を逆にして、流体を反対方向に駆動することもできる。
【００２４】
ステータ１２の第２の端部１２ｂは、関連する処理パイプ群１３に接続されてよく、処理パイプ群１３はポンプ１０からエンドカバーを介して、ポンプされた流体を運搬する。
【００２５】
ポンプはさらに、駆動部１６に接続されうる駆動シャフト接続部１５を含む。特に、駆動シャフト接続部１５は、ロータ１１に接続を提供して、ロータがステータに対して回転するよう駆動する。
【００２６】
ポンプ１０はさらに、ステータ１２の第１の端部１２ａと連結する吸引チャンバ２０を含み、ここで流体は、ポンプの入口２１からステータ１２に流入する。入口２１はさらに例えば処理パイプ群２２にも接続されてよく、処理パイプ群２２はポンプする流体をポンプ１０へ提供する。
【００２７】
吸引チャンバ２０は、ポンプされる流体がポンプ１０の動作中に通過するスペース２２を取り囲んでいる。接続シャフト２５もこのスペース２２を通過する。接続シャフト２５は、ロータ１１および駆動シャフト接続部１５の間に接続を提供する。
【００２８】
駆動シャフト接続部１５は、吸引チャンバ２０に延び、開放可能な接続２７により接続シャフト２５に接続される駆動シャフト２６を含むことができる。同様に、接続シャフト２５は、別の開放可能な接続２８によりロータ１１に接続される。従ってポンプ１０を取り外す際には、接続シャフト２５を、ロータ１１から、ひいては、駆動シャフト２６から取り外すことができる。
【００２９】
図１の構成に示されているように、接続シャフト２５は、それぞれ駆動シャフト２６とロータ１１とに接続される駆動端部２５ａ、ロータ端部２５ｂを含むことができる。駆動端部２５ａとロータ端部２５ｂとを接続するべく別の開放可能な接続２９が提供されてよい。これにより、ポンプ１０を取り外す際に、接続シャフト２５のロータ端部２５ｂおよび駆動端部２５ａを別個に取り外すことができる。
【００３０】
接続シャフトの組み立てには任意の適切な接続２７、２８、２９を利用することができる。特に、例えば開放可能な接続の少なくとも１つとして分割スリーブを利用することができる。この代わりに、またはこれに加えて、ピンジョイントを利用することもできる。特定の構成例では、接続シャフト２５を駆動シャフト２６とロータ１１との間に接続する開放可能な接続２７、２８としてピンジョイントを利用して、分割スリーブ接続を、接続シャフト２５の駆動端部２５ａとロータ端部２５ｂとの間の接続２９に利用してよい。
【００３１】
図１に示すように、吸引チャンバ２０は、入口部３１と導管部３２とを含んでよい。入口部３１は、流体を導管部３２に送る開口３３とポンプ入口２１とを含むことができる。
【００３２】
導管部は、入口部３１に接続された第１の端部３２ａと、ステータ１２に接続された第２の端部３２ｂとを含んでよい。導管部３２の両方の端部３２ａ、３２ｂは開かれており、吸引チャンバ２０の入口部３１が含むスペースから流体をステータ１２の入口へと流す。
【００３３】
公知のポンプにおける需要を鑑みて、ポンプ１０は具体的には、ステータ１２、ロータ１１、または駆動シャフト接続部１５を動かす必要なく吸引チャンバ２０を取り外すことができるよう構成される。従って具体的には、吸引チャンバ２０は、ステータ、ロータまたは駆動シャフト接続部を移動させることなく取り外すことができ、接続シャフト２５にアクセスすることができるようになる。この構成により、接続シャフト２５も、ステータ、ロータまたは駆動シャフト接続部を移動させることなく取り外すことができる。従って適宜、ロータ１１および／またはステータ１２を簡単に取り外すことができるようになり、例えばメンテナンス作業のパフォーマンスが上がる。特に、ロータ１１およびステータ１２を、ロータ１１の回転軸に垂直な方向に取り外すことができるようになる。この結果、この作業を行うためにステータ１２の出口に接続される処理パイプ群１３を全く取り外す必要がなくなる。
【００３４】
さらに吸引チャンバ２０が取り外されると、適宜、駆動シャフト接続部にメンテナンスおよび／または取替が必要になる場合がある。特に駆動シャフト接続部１５は、吸引チャンバ２０と駆動シャフト接続部との間で流体が漏れないように、封止材４０を含んでよい。封止材４０は例えば、機械的な封止材、パックグランド、その他、任意の好適な形態の封止材であってよい。封止材は、定期的なメンテナンス作業を必要とすることに留意されたい。しかし、吸引チャンバ２０を取り外せば、封止材４０に対してアクセスが可能となり、ロータ１１またはステータ１２を取り外す必要なくメンテナンス作業を行うことができるようになる。
【００３５】
吸引チャンバは、複数の異なる方法で構成可能であり、また同時に、ステータ１２または駆動シャフト接続部１５を移動させる必要なくポンプ１０から取り外すことができる。図２ａおよび２ｂは、本発明の吸引チャンバ２０の一部として利用可能な導管部２０を示す。図２ａに示すように、導管部３２は、第１および第２の開口端部３２ａおよび３２ｂを含むことで、導管部３２に流体を通し、接続シャフト２５を導管部３２に通すことができる。
【００３６】
導管部３２はさらに、導管部の第１の端部３２ａから第２の端部３２ｂへと延びる２つの接合線４１、４２を含む。接合線は、導管部３２を、第１の部分４３と第２の部分４４とに分割する。接合線４１、４２は開放可能であり、吸引チャンバ２０の分解中に導管部３２を分解することができる。例えば図２ａに示すように、導管部３２の各部分４３、４４は、他の部分のフランジ４５に接続されうるフランジ４５を含むことができる。導管部３２の部分４３、４４のフランジ４５同士は、開放可能な固定材（例えばボルト４６）により接続することができる。
【００３７】
導管部３２から流体が漏れることがないように、開放可能な接合線４１、４２のそれぞれに封止材４７を設けることができる。例えば開放可能な接合線４１、４２のそれぞれにガスケットを設けることができる。
【００３８】
導管部３２を、導管部３２の長さ方向に２つの部分４３、４４に分割することで、導管部３２を通る接続シャフト２５の取り外しを必要とせずに導管部３２を分解してポンプから取り外すことができる。このような導管部の分解を利用することで、接続シャフト２５へのアクセスを可能として、接続シャフト２５の分解を促し、次いで、ポンプ１０の残りの部品を適宜分解することができる。
【００３９】
さらには、図２ａに示した導管部３２は、導管部３２の長さ方向に延びる２つの開放可能な接合線４１、４２を有しているが、本発明がこの構成に限定はされない点に留意されたい。特に、これより大きい数の開放可能な接合線を提供することができ、導管部３２をこれより大きい数の部分４３、４４に分解することができる。
【００４０】
さらに、導管部３２を、導管部３２の全長分の単一の開放可能な接合線を含むようにしてもよい。しかしこの場合には、導管部３２を十分な可撓性を備える材料で形成する必要があり、開放可能な接合線が開放されると導管部３２が十分撓み、開放可能な接合線の２つのエッジが分離されて、導管部３２がポンプから外れるようにされる必要がある。特にこの場合、開放可能な接合線のエッジ間の分離は、接続シャフト２２がこれらの間を通ることができる程度のものである必要がある。さらに、複数の開放可能な接合線を提供する場合には、導管部３２の部分４３、４４を同じサイズとする必要はない点にも言及に値する。
【００４１】
図２ｂは、図２ａに例示した導管部３２の詳細図である。特に図２ｂは、図２ａに示した導管部３２の断面を示している。示されているように、導管部３２の各端部３２ａ、３２ｂには、それぞれ端部５１、５２が設けられている。
【００４２】
各端部５１、５２は、導管部３２に流体を通し、接続シャフト２５の列を導管部３２に通すことのできる開口５３を含む。加えて、加えて、端部５１、５２それぞれは、導管部３２の端部３２ａ、３２ｂと係合する係合部５４を含む。特に、導管部３２の組み立て時には、つまり、開放可能な接合線同士を接続するとき、端部５１、５２の係合部５４を導管部３２の部分４３、４４の端部３２ａ、３２ｂにクランプで固定する。こうすることで、導管部３２の組み立て時に、端部５１、５２は導管部３２にしっかりと接続される。
【００４３】
端部５１、５２はさらに、導管部３２をポンプの他のコンポーネントに接続するよう構成されるフランジ５５、５６を含む。従って例えば、第１の端部５１が、導管部３２を吸引チャンバ２０の入口部３１に接続するよう構成される１以上のフランジ５５を含むことができる。同様に、第２の端部５２が、導管部３２をステータ１２に接続するよう構成される１以上のフランジ５６を含むことができる。
【００４４】
従って、図２ａおよび図２ｂに示される種類の導管部３２および端部５１、５２は、ステータ１２、ロータ１１、接続シャフト２５または駆動シャフト接続部１５を移動させる必要なく、ポンプから分解することができる。さらに、請求項に示すように、本発明の範囲を逸脱することなく本構成の様々な変形例を想到することができる。
【００４５】
図３ａおよび図３ｂは、本発明におけるポンプ内に利用可能な導管部６０の代替的構成を示し、ここで吸引チャンバは、ステータ部１２または駆動シャフト接続部を移動させる必要なく分解可能である。図３ａは、吸引チャンバの組み立て後の導管部６０を示し、図３ｂは、吸引チャンバが部分的に分解されているときの導管部６０の構成を示す。
【００４６】
示されているように、図３ａおよび図３ｂに示す構成の導管部の第１の端部６０ａは、吸引チャンバの入口部３１に接続することができ、導管部６０の第２の端部６０ｂは、ステータ部１２の第１の端部１２ａに接続することができる。上述した導管部同様に、図３ａおよび図３ｂに示す構成の導管部６０も、第１の端部６０ａおよび第２の端部６０ｂにおいて開かれており、ポンプされる流体が流れ接続シャフト２５を提供しうるスペース６１を取り囲んでいる。
【００４７】
図３ｂに示すように、図３ａおよび図３ｂに示す構成のポンプの吸引チャンバを分解するには、導管部６０の第１および第２の端部６０ａ、６０ｂを、ステータ部１２および導管部の入口部３１からそれぞれ取り外す必要がある。次いで、導管部６０を長さに平行な方向（つまり、第１の端部６０ａの開口から第２の端部６０ｂの開口へ向かう方向）に滑らせる。こうすることにより、吸引チャンバが完全に組み立てられているときに導管部６０が取り囲んでいるスペース６１が露呈する。従って、スペース６１へのアクセスが可能となり、例えばロータ１１から接続シャフト２５を取り外し、次いで、適宜、接続シャフト２５および吸引チャンバの残りの部分を分解することができるようになる。
【００４８】
図３ａおよび図３ｂに示すように、特定の構成においては、導管部６０をステータ部１２およびロータ部１１と位置合わせして、長さ方向に滑らして吸引チャンバが分解された場合に、導管部６０が滑り、ステータ部１２の少なくとも一部の上を戻る（つまり、図３ｂに示すように分解された位置において、ステータ部１２の一部を取り囲む）ようにすることができる。このようにすることで、導管部６０の移動により露呈したスペース６１を最大化することができ、吸引チャンバを分解するべくアクセスが可能となり、後には、ポンプ１０の他のコンポーネントのいずれにアクセスすることもできるようになる。
【００４９】
また、流体が漏れるのを防止するべく、吸引チャンバが完全に組み立てられたとき、ガスケット等の封止材を導管部６０とステータ部１２の入口部３１との間に設けてもよい。
【図１】
2011529157.tif 000003
【図２ａ】
2011529157.tif 000004
【図２ｂ】
2011529157.tif 000005
【図３ａ】
2011529157.tif 000006
【図３ｂ】
2011529157.tif 000007
【国際調査報告】
2011529157.tif 000008
2011529157.tif 000009